(57)【要約】      （修正有）【課題】屋根の積雪落下防止に関するものであり、特に横葺きタイプの屋根又は壁等の外囲体において、雪止部材を簡易且つ迅速に装着することができ、且つ作業効率を向上させる雪止金具とする。【解決手段】略帯板形状のベース板部１１と、該ベース板部１１の水下側に形成され且つ横葺建築用板Ａの水下側嵌合部６の外方側より係止する水下係止部１２と、前記ベース板部１１の水上側に形成され且つ前記横葺建築用板Ａの水上側嵌合部７に係止する水上係止部１３とからなるベース１と、前記ベース１に雪止杆４を固定する押え部材２と、該押え部材２をベース１に固定する固着部３とからなる。前記ベース１と前記押え部材２とは前記固着部３を介して着脱自在としてなる。【選択図】図１
2010071010.tif 000002
【特許請求の範囲】
【請求項１】
略帯板形状のベース板部と、該ベース板部の水下側に形成され且つ横葺建築用板の水下側嵌合部の外方側より係止する水下係止部と、前記ベース板部の水上側に形成され且つ前記横葺建築用板の水上側嵌合部に係止する水上係止部とからなるベースと、前記ベースに雪止杆を固定する押え部材と、該押え部材をベースに固定する固着部とからなり、前記ベースと前記押え部材とは前記固着部を介して着脱自在としてなることを特徴とする雪止金具。
【請求項２】
請求項１において、前記固着部は前記ベース板部に螺子軸が植設されてなることを特徴とする雪止金具。
【請求項３】
請求項１又は２において、押え部材は、傾斜状板部と、垂直状板部と、前記傾斜状板部及び垂直状板部の下端に形成された２つの取付基板部とから構成されてなることを特徴とする雪止金具。
【請求項４】
請求項１又は２において、押え部材は１つの取付基板部の一端から立上り部が形成され、該立上り板の上端より屈曲板が折り返し形成されると共に、該屈曲板の下端には押圧片が形成されてなることを特徴とする雪止金具。
【発明の詳細な説明】
【技術分野】
【０００１】
本発明は、屋根の積雪落下防止に関するものであり、特に横葺きタイプの屋根又は壁等の外囲体において、雪止部材を簡易且つ迅速に装着することができ、且つ作業効率を向上させることができる雪止金具に関する。
【背景技術】
【０００２】
従来、種々の横葺タイプの建築用板にて屋根又は壁等の外囲体が施工されている。この横葺きタイプの屋根は、あらゆる地域で使用されており、寒冷地で使用されている。横葺きタイプの外囲体では、屋根板同士の連結部分が軒先或いは棟に対して、略平行であり、且つ起伏部が小さいので、金具の装着は比較的困難であるが、このような横葺きタイプの外囲体に雪止金具を装着する構成が下記特許文献１及び２に開示されている。
【特許文献１】特開平９―３２４５１１号
【特許文献２】特開２００２―２６６４８４
【発明の開示】
【発明が解決しようとする課題】
【０００３】
特許文献１では、吊子板を横葺き屋根の上面より釘等の固着具を利用して、屋根の下地材に固定し、この吊子板に雪止部材を固着したりするものである。この特許文献１では、屋根を構成する板材に釘孔が開いてしまうことになり、雨仕舞等の点で問題がある。次に、特許文献２では、雪止材は、横葺きタイプの外囲体を構成する外装材の横方向に隣接する箇所に継手材を介して装着しようとするものである。
【０００４】
この特許文献２では、外装材を横方向及び軒先から棟方向に亘ってそれぞれ隣接する部分に亘って雪止部材を装着することになり、施工が面倒且つ困難である。特に、特許文献１及び２のような種の雪止金具を介して屋根，壁等の外囲体に雪止杆を装着するためには、雪止金具を横葺き屋根に装着する前に、雪止金具に雪止杆を装着しておかなければならない。そのために、雪止杆を外囲体に装着する作業効率は、極めて低下することになる。本発明が解決しようとする課題（技術的課題又は目的）は、横葺外囲体において、降雪の季節においては極めて簡単に雪止部材を装着することができると共に、その他の季節においては雪止部材を簡易且つ迅速に取り外すことができるようにすることである。
【課題を解決するための手段】
【０００５】
そこで、発明者は上記課題を解決すべく、鋭意，研究を重ねた結果、請求項１の発明を、略帯板形状のベース板部と、該ベース板部の水下側に形成され且つ横葺建築用板の水下側嵌合部の外方側より係止する水下係止部と、前記ベース板部の水上側に形成され且つ前記横葺建築用板の水上側嵌合部に係止する水上係止部とからなるベースと、前記ベースに雪止杆を固定する押え部材と、該押え部材をベースに固定する固着部とからなり、前記ベースと前記押え部材とは前記固着部を介して着脱自在としてなる雪止金具としたことにより、上記課題を解決したものである。
【０００６】
請求項２の発明を、前述の構成において、前記固着部は前記ベース部材に螺子軸が植設されてなる雪止金具としたことにより、上記課題を解決したものである。請求項３の発明を、前述の構成において、押え部材は、傾斜状板部と、垂直状板部と、前記傾斜状板部及び垂直状板部の下端に形成された２つの取付基板部とから構成されてなる雪止金具としたことにより、上記課題を解決したものである。請求項４の発明を、前述の構成において、押え部材は１つの取付基板部の一端から立上り部が形成され、該立上り板の上端より屈曲板が折り返し形成されると共に、該屈曲板の下端には押圧片が形成されてなる雪止金具としたことにより、上記課題を解決したものである。
【発明の効果】
【０００７】
請求項１の発明では、ベースは、略帯板形状のベース板部には、その水下側に横葺建築用板の水下係合部の外方側より係止する水下係止部を有し、前記ベース板部の水上側には前記横葺建築用板の水上係合部の内方側に係止する水上係止部を有している。さらに前記ベースには雪止杆を固定する押え部材を具備し、ベース部材には、該押え部材を固定する固着部を備えたものである。
【０００８】
これによって、ベースのみを横葺建築用板によって構成される外囲体に装着することができ、外囲体に装着されたベースに雪止杆を配置した後に押え部材は、固着部によって支持固定することができるものである。したがって、特に雪止杆が長尺物である場合に、前記ベースを横葺建築用板に装着した後にベースに前記雪止杆を固定することができるので、雪止杆を外囲体に装着することを簡易且つ迅速にでき、ひいては作業効率を極めて効率的にすることができる。ベースに対して押え部材は着脱自在であり、ベースのみを横葺建築用板に装着してから、前記雪止杆をそのままの状態で真上からベースに配置して、押え部材を固着部によって接合固着することができ、雪止杆の外囲体への装着が極めて簡単にできるものである。
【０００９】
請求項２の発明では、前記固着部は前記ベース部材に螺子軸が植設されたことにより、押え部材は簡易且つ迅速に固定することができ、雪止杆を外囲体に、より一層、簡易且つ迅速に装着することができる。請求項３の発明では、前記押え部材は、傾斜状板部と、垂直状板部と、前記傾斜状板部及び垂直状板部の下端に形成された２つの取付基板部とから構成されたことにより、特に雪止杆が断面Ｌ字形状とした金属製部材に対して、対応し易く、容易にベースに装着することができる。
【００１０】
請求項４の発明を、取付基板部の一端から立上り部が形成され、該立上り板の上端より屈曲板が折り返し形成されると共に、該屈曲板の下端には押圧片が形成された構成としたことにより、一つのベースに対して一つの固着部のみで雪止杆を固定することができ、作業効率をより一層向上させることができる。
【発明を実施するための最良の形態】
【００１１】
以下、本発明の実施形態を図面に基づいて説明する。まず、本発明において、雪止金具は、図２,図３に示すように、ベース板部１１,水下係止部１２及び水上係止部１３からなるベース１と、押え部材２と、固着部３とから構成される。ベース１のベース板部１１は、金属帯板形状で且つ略長方形に形成されたものである。
【００１２】
さらに、ベース板部１１の長手方向において、図３に示すように、その一端側は水下側１ｆであり、他端側は水上側１ｒとして使用される。すなわち、前記ベース１は、後述する横葺建築用材Ａに装着されるものであるが、ベース１の水下側１ｆは横葺建築用材Ａの水下側嵌合部６に係止され、前記ベース１の水上側１ｒは横葺建築用材Ａの水上側嵌合部７に係止されて、ベース１が横葺建築用材Ａに固定される構造となっている。
【００１３】
前記ベース板部１１には、図２（Ｂ）,図３，図４に示すように、該ベース板部１１の長手方向に沿って膨出部１１ａが形成されている。該膨出部１１ａは、ベース板部１１の長手方向に直交する断面が略扁平台形上に形成されたものである。さらにベース板部１１の長手方向に沿った断面形状では水上側１ｒ付近で次第に膨出部１１ａの高さが低くなるように形成されている〔図４（Ｃ）参照〕。
【００１４】
ベース板部１１の水下側１ｆには、前述したように水下係止部１２が形成されている〔図３（Ａ），（Ｃ）参照〕。該水下係止部１２は、前記ベース板部１１の水下側１ｆ端縁より、下方に垂下直状片１２ａが形成され、該垂下直状片１２ａの下端からベース板部１１側で、且つ該ベース板部１１の水上側１ｒに向かって、水下係止屈曲片１２ｂが形成されている。前記ベース板部１１と前記垂下直状片１２ａとは、略直角に形成されたり、或いは僅かに鋭角状態となるように設定されている。
【００１５】
さらに、ベース板部１１の水上側１ｒには、前述したように水上係止部１３が形成されている〔図３（Ａ），（Ｃ）参照〕。該水上係止部１３は、前記ベース板部１１の水下側１ｆ端縁より、上方に垂直状片１３ａが形成され、該垂直状片１３ａの上端からベース板部１１側で、且つ該ベース板部１１の水下側１ｆに向かって、水上係止屈曲片１３ｂが形成されている。前記ベース板部１１と前記垂直状片１３ａとは、略直角に形成されたり、或いは僅かに鋭角状態となるように設定されている。
【００１６】
前記ベース１のベース板部１１には、図３，図２に示すように、固着部３が設けられている。該固着部３は、螺子軸３１と、ナット３２とから構成され、前記螺子軸３１がベース板部１１に植設されている。具体的には、２本の螺子軸３１が、前記ベース板部１１の長手方向に沿って、適宜の間隔をおいて、植設されたものである。螺子軸３１は、軸方向の一端に扁平円板形状の台座部３１ａが形成され、前記ベース板部１１には、貫通孔が形成され、該貫通孔に前記螺子軸３１が圧入され、台座部３１ａがストッパとなって固着されるものである〔図４（Ａ）参照〕。また、特に図示しないが、前記固着部３の螺子軸３１としてボルトが使用されることもある。この実施形態の場合では、ベース板部１１の貫通部にボルトとした螺子軸３１の螺子部が挿入される。
【００１７】
前記押え部材２は、図２（Ｂ），図３（Ｃ）に示すように、傾斜状板部２１と、垂直状板部２２と、取付基板部２３とから構成されるものである。具体的には前記取付基板部２３は２個備わっており、前記傾斜状板部２１と前記垂直状板部２２とは上端で連結され、両者にて略直角三角形を構成している。前記取付基板部２３と前記垂直状板部２２のそれぞれの下端には、取付基板部２３,２３が形成されている。
【００１８】
該取付基板部２３には、取付用貫通孔２３ａが形成されている。該取付用貫通孔２３ａは、図２（Ｂ）に示すように、長孔として形成されることが好ましい。該取付用貫通孔２３ａには、前記ベース１の固着部３の螺子軸３１が挿入するものであって、前記取付用貫通孔２３ａが長孔とした場合には、押え部材２をベース１の水下側１ｆと水上側１ｒとの間に亘って位置の微調整ができるものである。前記傾斜状板部２１と垂直状板部２２は、前述したように略直角三角形を構成し、押え部材２を前記ベース板部１１に固着部３を介して固着したときには、図１，図３（Ａ），図５等に示すように、略直角三角形状の囲みを構成することにより、断面Ｌ字形状の雪止杆４を雪止金具に安定した状態で固定することができる。
【００１９】
また、前記押え部材２の別のタイプとしては、図１０に示すように、押え部材は１つの取付基板部２３の一端から立上り板２４が形成され、該立上り板２４の上端より屈曲板２５が折り返し形成されると共に、該屈曲板２５の下端には押圧片２６が形成されている〔図１０（Ｂ）参照〕。すなわち、前記立上り板２４と屈曲板２５とによって、断面Ｌ字形状の雪止杆４の一片が挟持され、前記押圧片２６によって前記雪止杆４の他片がベース板部１１上に押圧されるように支持固定されるものである。押え部材２は、前記ベース１に対して、前記固着部３によって着脱自在としたものである〔図２（Ｂ），図３（Ｃ）参照〕。これによって、前記ベース１に対して押え部材２は、着脱自在であり、ベース１のみを横葺建築用板Ａに装着してから、前記雪止杆４をそのままの状態でベース１の真上から該ベース１上に配置して、押え部材２を固着部３によって接合固着することができ、雪止杆４の外囲体への装着が極めて簡単にできるものである。
【００２０】
次に、横葺建築用材Ａは、水下側と水上側とが存在し、該横葺建築用材Ａが下地材上に配置されたときに、屋根勾配に沿って、各横葺建築用材Ａの傾斜下方側を水下側とし、傾斜上方側を水上側とする。前記横葺建築用材Ａは、主板５と，水下側嵌合部６と，水上側嵌合部７と，ベース屈曲部８とから構成されている。
【００２１】
前記主板５の一側端（水下側）に水下側嵌合部６が形成され、他端側（水上側）に水上側嵌合部７が形成されている。前記主板５は、図３,図７に示すように、平面的に見て、略長方形状であり、幅（横）方向（水上から水下方向に向かう方向と直交する方向）が長尺に形成され、且つ平坦面状に形成されている。その水下側嵌合部６は、まず主板５の水下側の端縁より下方に向かって、前記主板５に対して略直角に近い鋭角状に前端側片６１が形成され、該前端側片６１の下端から主板５側に向かって略水平状に上向き傾斜片６２が屈曲形成されている。
【００２２】
該上向き傾斜片６２の他端側、即ち前記前端側片６1との折曲連結箇所と反対位置となる端縁から折返し端縁６３が形成されている。該折返し端縁６３は、前記前端側片６1とは平行ではなく相対的に傾斜している。前記折返し端縁６３は、断面略Ｕ字形状をなすように屈曲形成されたものである。次に、水上側嵌合部７については、前記主板５の水上側端縁に形成されたものであり、立上り側片７１と頂片７２から形成されたものである。
【００２３】
その立上り側片７１は、前記主板５に対して略直角状であるが、具体的には、主板５に対して直角よりも少し鋭角に形成される。即ち、前記主板５と、前記前端側片６1と、前記立上り側片７１とで略偏平Ｎ字形状を構成している。また、その立上り側片７１の上端には、頂片７２が形成されている。具体的には、頂片７２は、前記立上り側片７１の上端から内方（前記主板５側）に向かって略水平面状に突出形成されたものである。
【００２４】
次に、ベース屈曲部８は、前記主板５の裏面側で、且つ該主板５の水上側寄りの位置から該主板５の下方に向かって突出形成されたものである。前記ベース屈曲部８は、前記主板５の裏面側から略垂下状に形成されたものである。或いは、前記主板５に対して略直角状に形成されている。前記ベース屈曲部８は、前記主板５に対して略垂下状の下部側片８１を有するものであり、該下部側片８１は、前記水上側嵌合部７の立上り側片７１よりも前記主板５の水下側寄りに位置するように形成されている。即ち、前記下部側片８１の形成位置は、前記主板５の水上側端縁から僅かに水下側に向かった適宜の位置となるように形成されたものである。
【００２５】
前記下部側片８１は、主板５の幅方向（水下側から水上側に向かう方向に直交する方向）に沿って壁板状に形成されたものである。該下部側片８１は、横葺建築用材Ａの水上側端部を後述する下地部１００から適宜の間隔をおいて離間させて支持する役目をなすものである。すなわち、前記ベース屈曲部８は、前記主板５の水上側端縁を下地部１００から持ち上げて浮き上がらせる役目をなすものであるといえる。
【００２６】
そして、前記下部側片８１下端には略直角状に折曲されたベース底片８２が形成されている。該ベース底片８２は、前記下部側片８１の下端から前記主板５の水上側端に向かって突出形成されている。前記ベース屈曲部８は、前記水上側嵌合部７の上端で且つ頂片７２の先端から水上側に向かって折り返され、前記立上り側片７１に略接触状態で沿って、該立上り側片７１の下端から前記主板５の裏面側に略接触密状態で形成され、前記水上側嵌合部７の頂片７２先端よりも水下側となる位置から前記下部側片８１が形成される。
【００２７】
前記下部側片８１及びベース底片８２は、前記水上側嵌合部７の頂片７２の端縁から折り返し状に形成されたものである。具体的には、前記水上側嵌合部７を構成する頂片７２及び立上り側片７１と前記主板５の裏面側に略密着状態又は近接状態で折返し成形片８０が形成されつつ、該折返し成形片８０を介して前記下部側片８１及びベース底片８２が形成されるものである〔図６（Ｂ）参照〕。
【００２８】
特に、前記折返し成形片８０において、前記主板５の裏面側に沿って密着状又は近接状に沿った部位を補助折返し片８０１とすると、該補助折返し片８０１と前記下部側片８１及び前記ベース底片８２とが略コ字形状を構成することになり、前記補助折返し片８０１は主板５に沿って形成されているので、ベース屈曲部８の補強としての役目をなし、ベース屈曲部８を極めて強固なものにすることができる。また、該ベース屈曲部８は、前記主板５とは別部材として、スポット溶接等の固着手段によるものであってもかまわない。また、前記主板の裏面側には、必要に応じて断熱材Ｓが装着されることもある。
【００２９】
次に、吊子９は、前記横葺建築用材Ａを下地部１００に載置固定するための役目をなすものであり、その構造は、座板部９１，垂直支持部９２，嵌合支持部９３とから構成されている。前記座板部９１の端縁から垂直支持部９２が立上り形成されている。前記嵌合支持部９３は、前記垂直支持部９２の上端箇所から前方に向かって突出する前方突起片９３ａが形成され、該前方突起片９３ａの先端から前方下向きの傾斜状に形成された嵌合端縁９３ｂから形成されたものである。前述した「前方」とは、前記吊子９が下地部１００上に適正に固着されたときに、水下側に向かう方向である。
【００３０】
下地部１００は、主に母屋，胴縁等の構造材，垂木及び下地板等から構成されたものである。該下地部１００上に前記吊子９が所定間隔をおいて配置され、座板部９１の前記貫通孔９１１にドリルビス，ボルト等の固着具を介して固着されてゆく。次に横葺建築用材Ａが下地部１００上に載置され、その水上側嵌合部７が吊子９の嵌合支持部９３にて覆うようにして包持固定される。また、その水下側嵌合部６は、前記水上側嵌合部７を回転中心とするようにして横葺建築用材Ａを回転させながら前記嵌合支持部９３に嵌合固定させ、これを順次繰り返して横葺建築用材Ａによる横葺外囲体が施工される〔図６（Ｃ）参照〕。
【００３１】
次に、本発明における雪止金具を外囲体に装着する構成について説明する。まず、雪止金具を装着しようとする所定の横葺建築用材Ａに、ベース１を装着する〔図６（Ａ），（Ｂ）参照〕。その工程としては、前記ベース板部１１を前記横葺建築用材Ａの主板５上に載置し、該主板５の水下側１ｆから水上側１ｒに向かってベース１をスライドさせ、該ベース１の水下係止部１２を横葺建築用材Ａの水下側嵌合部６に係止させ、前記ベース１の水上係止部１３を前記横葺建築用材Ａの水上側嵌合部７に係止させて、ベース１を前記横葺建築用材Ａの主板５上に固定する〔図６（Ｂ）参照〕。
【００３２】
前記ベース１を固定した横葺建築用材Ａは、前述した横葺外囲体の施工と同様にして、下地部１００上に施工してゆく〔図６（Ｃ）参照〕。上記の工程によって、横葺外囲体は、その水平方向に一列状に配列されたそれぞれの横葺建築用材Ａ，Ａ，…に複数の雪止金具のベース１，１，…が装着された状態となる〔図８（Ａ）参照〕。そして、前記ベース１，１，…上に雪止杆４が配置される〔図７（Ａ）参照〕。
【００３３】
さらに、前記ベース１には、載置された雪止杆４を覆うようにして、押え部材２が配置される〔図７（Ｂ）参照〕。前記固着部３の螺子軸３１を前記押え部材２の取付基板部２３の取付用貫通孔２３ａに挿入させ、ナット３２によって締め付け固定する。このようにして、横葺建築用材Ａに雪止杆４が装着される〔図８（Ｂ）参照〕。本発明では、雪止金具において、ベース１と押え部材２とを別部材としたことで、まず前記ベース１のみを横葺建築用材Ａに装着して横葺外囲体の施工を完了させた後に雪止杆４を押え部材２と固着部３とを介してベース１上に装着することができるものである。これによって、雪止杆４の横葺外囲体への装着が極めて簡易且つ迅速にでき、しかも作業効率を向上させることができる。また本発明の雪止金具は、降雪シーズン以外では、その他の建築用パーツ（例えば屋根用テラス床材等）の装着にも適用できる。
【図面の簡単な説明】
【００３４】
【図１】（Ａ）は本発明の雪止金具を介して雪止杆を装着した横葺外囲体の縦断側面略示図、（Ｂ）は（Ａ）の要部拡大図である。
【図２】（Ａ）は本発明の雪止金具の斜視図、（Ｂ）は雪止金具の分解した斜視図である。
【図３】（Ａ）は雪止金具の側面図、（Ｂ）は雪止金具の平面図、（Ｃ）は雪止金具の分解且つ一部断面にした側面図である。
【図４】（Ａ）は横葺建築用材の略示縦断側面図、（Ｂ）は（Ａ）の（イ）部拡大図、（Ｃ）は（Ａ）の（ウ）部拡大図である。
【図５】横葺外囲体に雪止杆を本発明における雪止金具を介して装着した要部斜視図である。
【図６】（Ａ）は雪止金具を横葺建築用材に装着しようとする側面図、（Ｂ）は雪止金具を横葺建築用材に装着完了した側面図、（Ｃ）は雪止金具を装着した横葺建築用材を下地部に施工する状態図である。
【図７】（Ａ）は雪止金具のベース上に雪止杆を配置しようとする側面図、（Ｂ）は雪止金具のベース上に押え部材を装着しようとする側面図である。
【図８】（Ａ）は雪止金具のベース上に雪止杆を配置しようとする外囲体の平面図、（Ｂ）は雪止杆が装着された状態の雪止金具のベース上に押え部材を装着しようとする外囲体の平面図である。
【図９】雪止金具を外囲体における中間箇所に位置する横葺建築用材に装着した実施形態の側面である。
【図１０】（Ａ）は別のタイプの押え部材を具備した雪止金具を介して雪止杆を横葺外囲体に装着した側面図、（Ｂ）は別のタイプの押え部材を具備した雪止金具の分解且つ一部断面にした側面図である。
【符号の説明】
【００３５】
Ａ…横葺建築用板、１…ベース、１１…ベース板部、１２…水下係止部、
１３…水上係止部、２…押え部材、２１…傾斜状板部、２２…垂直状板部、
２３…取付基板部、２４…立上り板、２５…屈曲板、２６…押圧片、３…固着部、
３１…螺子軸、４…雪止杆、６…水下側嵌合部、７…水上側嵌合部。
【図１】
2010071010.tif 000003
【図２】
2010071010.tif 000004
【図３】
2010071010.tif 000005
【図４】
2010071010.tif 000006
【図５】
2010071010.tif 000007
【図６】
2010071010.tif 000008
【図７】
2010071010.tif 000009
【図８】
2010071010.tif 000010
【図９】
2010071010.tif 000011
【図１０】
2010071010.tif 000012